(57)【要約】【課題】グリースの保持性が高く、ボールとポケットの接触部にグリースを効果的に供給することができるようにした合成樹脂製保持器を提供することである。【解決手段】環状体７の一側面に周方向で対向する一対の爪８を環状体７の周方向に等間隔に設け、対向一対の爪８間にボール５を保持するポケット９を形成する。隣接するポケット９間に形成された柱部１０に環状体７の他側面と外径面で開口する凹部１１を設け、ポケット９の開口側から外輪１と内輪３間に供給されて軸受回転時にポケット背面側に流れるグリースを上記凹部１１で保持し、グリースの軸受外部への漏洩を防止する。【選択図】  図１
2004346973.tif 000002
【特許請求の範囲】
【請求項１】
環状体の一側面に周方向で対向する一対の爪を環状体の周方向に間隔をおいて形成し、その対向一対の爪間にボールを保持するポケットを形成した玉軸受用の合成樹脂製保持器において、前記ポケットとこれに隣接するポケット間の柱部に、環状体の他側面で開口し、かつ環状体の内・外径面の一方において開口するグリース保持用凹部を形成したことを特徴とする玉軸受用の合成樹脂製保持器。
【発明の詳細な説明】
【０００１】
【発明の属する技術分野】
この発明は、玉軸受における合成樹脂製保持器に関するものである。
【０００２】
【従来の技術】
玉軸受用の合成樹脂製保持器として、特許文献１に記載されたものが知られている。図８はその特許文献１に記載された合成樹脂製保持器を示している。この保持器２０は、環状体２１の一側面に周方向で対向する一対の爪２２を環状体２１の周方向に等間隔に形成し、その一対の爪２２間にボールを保持するポケット２３を設けている。
【０００３】
また、隣接するポケット２３間に形成された柱部２４に、環状体２１の他側面で開口する盗み２５を設け、その盗み２５によって厚みの均一化を図り、成形後の変形を防止して良好な製品が得られるようにしている。
【０００４】
上記のような合成樹脂製保持器は冠形保持器と称されている。図７はその冠形保持器２０を組込んだ玉軸受を示し、外輪３１と内輪３２間に組込まれたボール３３を上記冠形保持器で保持している。
【０００５】
上記冠形保持器２０はポケット２３の開口を前側にして外輪３１と内輪３２間に押し込み組込むことにより、一対の爪２２がボール３３との接触により周方向に弾性変形してポケット２３内にボール３３が嵌合するため、組込みが容易であるという特徴を有している。
【０００６】
【特許文献１】
特開平９−１５１９４３号公報（第２頁、図４）
【０００７】
【発明が解決しようとする課題】
ところで、上記特許文献１に記載された合成樹脂製保持器においては、高速回転時の遠心力による変形を防止する目的で、充分な強度を持たせる必要があり、金属製の保持器と比べて肉厚が厚くなっている。
【０００８】
したがって、このような冠形保持器を用いた玉軸受においては、外輪３１と内輪３２間に形成される軸受空間が、保持器２０のポケット開口側で広く、ポケット２３の背面側で狭くなっている。
【０００９】
このため、ポケット２３の開口側から外輪３１と内輪３２間に充填されるグリースは、軸受の回転に伴う遠心力により、保持器２０の外径面側に流れる。その際、ポケット２３の背面側と外輪３１の内径面との間の狭い空間に流動したグリースは行き場を失い、軸受端面から漏れ出し易く、グリースの保持性が悪いという問題がある。
【００１０】
また、ポケット２３の背面側の空間が狭いため、グリースの流動が阻害され、ポケット２３内部へのグリースの供給が不十分となって潤滑不良によりポケット２３とボール３３の接触部が摩耗し、振動、騒音が発生し易くなるという問題もある。
【００１１】
この発明の課題は、潤滑用グリースの保持性が高く、ボールとポケットの接触部にグリースを効果的に供給することができるようにした合成樹脂製保持器を提供することである。
【００１２】
【課題を解決するための手段】
上記の課題を解決するために、この発明においては、環状体の一側面に周方向で対向する一対の爪を環状体の周方向に間隔をおいて形成し、その対向一対の爪間にボールを保持するポケットを形成した玉軸受用の合成樹脂製保持器において、前記ポケットとこれに隣接するポケット間の柱部に、環状体の他側面で開口し、かつ環状体の内・外径面の一方において開口するグリース保持用凹部を形成した構成を採用したのである。
【００１３】
上記のように、隣接するポケット間に形成された柱部に環状体の他側面および環状体の内、外径面の一方において開口する凹部を設けることにより、軸受の回転時、ポケットの背面側に流動するグリースは上記凹部内に侵入し、その凹部で保持されることになる。このため、グリースの軸受外部への漏洩を防止し、グリースの保持性を高めることができる。
【００１４】
また、柱部に凹部を設けることにより、ポケット背面側の軸受空間が広くなり、ポケット開口側から供給されるグリースのポケット背面側への流動性が阻害されることもない。このため、軸受回転時において、外輪軌道面、およびボールとポケットの接触部にグリースを効果的に供給することができ、上記接触部における摩耗を防止し、振動、騒音の発生を抑制することができる。
【００１５】
【発明の実施の形態】
以下、この発明の実施の形態を図１乃至図６に基づいて説明する。図１乃至図４は、この発明に係る保持器の第１の実施形態を示す。図１および図２に示すように、外輪１の内径面に形成された軌道溝２と内輪３の外径面に設けられた軌道溝４間には複数のボール５が組込まれ、各ボール５は外、内輪１、３間に組込まれた合成樹脂から成る保持器６によって保持されている。
【００１６】
図３および図４に示すように、保持器６は環状体７を有し、その環状体７の一側面には周方向で対向する一対の爪８が環状体７の周方向に等間隔に設けられ、対向一対の爪８間にボール５を保持するポケット９が形成されている。
【００１７】
隣接するポケット９間に形成された柱部１０には、環状体７の他側面および外径面において開口するグリース保持用の凹部１１が設けられている。
【００１８】
上記のように、柱部１０のポケット開口部の背面側に環状体７の他側面および外径面で開口する凹部１１を設けることにより、ポケット９の開口側から外輪１と内輪３間に供給されるグリースは玉軸受の回転に伴う遠心力により、保持器６の外径面と外輪１の内径面の間の空間に流入するグリースは凹部１１内に侵入して、その凹部１１で保持されることになり、玉軸受の外部にグリースが漏洩するのを抑制することができる。
【００１９】
また、隣接するポケット９の柱部１０に凹部１１を設けることにより、ポケット９の背面側の軸受空間が広くなり、ポケット９の開口側から外輪１と内輪３間に供給されるグリースのポケット背面側への流動性が阻害されることがない。
【００２０】
このため、玉軸受の回転時に、外輪１の軌道溝２、およびボール５とポケット９の接触部にグリースを効果的に供給することができ、軌道溝２とボール５およびボール５とポケット９の接触部の摩耗を防止し、振動、騒音の発生を抑制することができる。
【００２１】
さらに、保持器６の凹部１１によってグリースを保持することができるので、玉軸受回転時のグリースの攪拌抵抗が低減され、起動トルク、回転トルクの低減を図り、温度上昇を抑制することができる。
【００２２】
第１の実施形態では柱部１０に環状体７の他側面と外径面で開口する凹部１１を設けたが、図５および図６の第２の実施形態で示すように、柱部１０に環状体７の他側面と内径面で開口する凹部１１を設けるようにしてもよい。この場合も第１の実施形態で示す保持器と同様の効果を得ることができる。
【００２３】
【発明の効果】
以上のように、この発明においては、隣接するポケット間の柱部に凹部を設けたことにより、ポケットの開口側から供給されてポケットの背面側に流動するグリースを上記凹部で保持することができ、グリースが玉軸受の外部に漏洩するのを防止し、グリース保持性の良好な玉軸受を得ることができる。
【００２４】
また、柱部に凹部を形成したことによってポケット背面側の軸受空間が増大するため、ポケット開口側に供給されたグリースのポケットの背面側への流動が阻害されることが少なく、軸受回転時に、外輪の軌道溝とボールの接触部およびボールとポケットの接触部にグリースを効果的に供給することができ、上記各接触部の摩耗を防止し、振動、騒音の発生を抑制することができる。
【００２５】
さらに、凹部によってグリースを保持することができるため、軸受回転時のグリースの攪拌抵抗が低減され、起動トルク、回転トルクの低減を図り、温度上昇を抑制することできる。
【図面の簡単な説明】
【図１】この発明に係る保持器の第１の実施形態を示す断面図
【図２】図１の左側面図
【図３】図１に示す保持器の平面図
【図４】図３に示す保持器の斜視図
【図５】この発明に係る保持器の第２の実施形態を示す断面図
【図６】図５の左側面図
【図７】従来の保持器を組込んだ玉軸受の断面図
【図８】図７に示す保持器の斜視図
【符号の説明】
７  環状体
８  爪
９  ポケット
１０  柱部
１１  凹部
【図１】
2004346973.tif 000003
【図２】
2004346973.tif 000004
【図３】
2004346973.tif 000005
【図４】
2004346973.tif 000006
【図５】
2004346973.tif 000007
【図６】
2004346973.tif 000008
【図７】
2004346973.tif 000009
【図８】
2004346973.tif 000010